【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
複数のサブ画素を含む画素と、
前記複数のサブ画素に電気的に接続された駆動部と、
階調信号の階調数に対応した複数の組み合わせデータが記憶され、所定の期間毎に、前記複数の組み合わせデータのいずれか一を選択し、選択された組み合わせデータを出力する機能を有する階調データ記憶部と、
前記選択された組み合わせデータが入力され、サブ階調信号を前記駆動部に出力する機能を有する階調データ変換部と、を有することを特徴とする液晶表示装置。
【請求項２】
第１のサブ画素及び第２のサブ画素を含む画素と、
前記第１のサブ画素及び前記第２のサブ画素に電気的に接続された駆動部と、
階調信号の階調数に対応した第１の組み合わせデータ及び第２の組み合わせデータが記憶され、１フレーム期間毎に、前記第１の組み合わせデータまたは前記第２の組み合わせデータを選択し、選択された前記第１の組み合わせデータまたは前記第２の組み合わせデータを出力する機能を有する階調データ記憶部と、
前記選択された前記第１の組み合わせデータまたは前記第２の組み合わせデータが入力され、サブ階調信号を前記駆動部に出力する機能を有する階調データ変換部と、を有することを特徴とする液晶表示装置。
【請求項３】
第１のサブ画素及び第２のサブ画素を含む画素と、
前記第１のサブ画素及び前記第２のサブ画素に電気的に接続された駆動部と、
階調信号の階調数に対応した第１の組み合わせデータ及び第２の組み合わせデータが記憶され、サブフレーム期間毎に、前記第１の組み合わせデータまたは前記第２の組み合わせデータを選択し、選択された前記第１の組み合わせデータまたは前記第２の組み合わせデータを出力する機能を有する階調データ記憶部と、
前記選択された前記第１の組み合わせデータまたは前記第２の組み合わせデータが入力され、サブ階調信号を前記駆動部に出力する機能を有する階調データ変換部と、を有することを特徴とする液晶表示装置。
【請求項４】
複数のサブ画素を含む画素と、
前記複数のサブ画素に電気的に接続された駆動部と、
階調信号の階調数に対応した複数の組み合わせデータが記憶され、隣接する前記画素毎に、前記複数の組み合わせデータのいずれか一を選択し、選択された組み合わせデータを出力する機能を有する階調データ記憶部と、
前記選択された組み合わせデータが入力され、サブ階調信号を前記駆動部に出力する機能を有する階調データ変換部と、を有することを特徴とする液晶表示装置。
【請求項５】
第１のサブ画素及び第２のサブ画素を含む画素と、
前記第１のサブ画素及び前記第２のサブ画素に電気的に接続された駆動部と、
階調信号の階調数に対応した第１の組み合わせデータ及び第２の組み合わせデータが記憶され、隣接する前記画素毎に、前記第１の組み合わせデータまたは前記第２の組み合わせデータを選択し、選択された前記第１の組み合わせデータまたは前記第２の組み合わせデータを出力する機能を有する階調データ記憶部と、
前記選択された前記第１の組み合わせデータまたは前記第２の組み合わせデータが入力され、サブ階調信号を前記駆動部に出力する機能を有する階調データ変換部と、を有することを特徴とする液晶表示装置。
【請求項６】
請求項５において、
前記第１の組み合わせデータまたは前記第２の組み合わせデータの前記選択は、隣接する前記画素毎に、且つ１フレーム期間毎に切り替えて行われることを特徴とする液晶表示装置。
【請求項７】
請求項５において、
前記第１の組み合わせデータまたは前記第２の組み合わせデータの前記選択は、隣接する前記画素毎に、且つサブフレーム期間毎に切り替えて行われることを特徴とする液晶表示装置。
【請求項８】
請求項１乃至７のいずれか一の液晶表示装置を具備することを特徴する電子機器。
【請求項９】
請求項１乃至７のいずれか一の液晶表示装置、及び操作スイッチを具備することを特徴する電子機器。
【請求項１０】
複数のサブ画素を含む画素と、
階調信号の階調数に対応した複数の組み合わせデータが記憶された階調データ記憶部と、
階調データ変換部と、
駆動部と、を有し、
前記階調データ記憶部が、所定の期間毎に前記複数の組み合わせデータのうち、いずれか一を選択し、
前記階調データ変換部は、前記選択された組み合わせデータが入力され、前記複数のサブ画素に応じたサブ階調信号を生成し、前記駆動部に出力し、
前記駆動部が、前記複数のサブ画素に出力することを特徴とする液晶表示装置の駆動方法。
【請求項１１】
第１のサブ画素及び第２のサブ画素を含む画素と、
階調信号の階調数に対応した第１の組み合わせデータ及び第２の組み合わせデータが記憶された階調データ記憶部と、
階調データ変換部と、
駆動部と、を有し、
前記階調データ記憶部が、前記第１の組み合わせデータまたは前記第２の組み合わせデータを１フレーム期間毎に交互に切り替えて選択し、
前記階調データ変換部は、前記選択された前記第１の組み合わせデータまたは前記第２の組み合わせデータが入力され、前記複数のサブ画素に応じたサブ階調信号を生成し、前記駆動部に出力し、
前記駆動部が、前記複数のサブ画素に出力することを特徴とする液晶表示装置の駆動方法。
【請求項１２】
第１のサブ画素及び第２のサブ画素を含む画素と、
階調信号の階調数に対応した第１の組み合わせデータ及び第２の組み合わせデータが記憶された階調データ記憶部と、
階調データ変換部と、
駆動部と、を有し、
前記階調データ記憶部が、前記第１の組み合わせデータまたは前記第２の組み合わせデータを１サブフレーム期間毎に交互に切り替えて選択し、
前記階調データ変換部は、前記選択された前記第１の組み合わせデータまたは前記第２の組み合わせデータが入力され、前記複数のサブ画素に応じたサブ階調信号を生成し、前記駆動部に出力し、
前記駆動部が、前記複数のサブ画素に出力することを特徴とする液晶表示装置の駆動方法。
【請求項１３】
複数のサブ画素を含む画素と、
階調信号の階調数に対応した複数の組み合わせデータが記憶された階調データ記憶部と、
階調データ変換部と、
駆動部と、を有し、
前記階調データ記憶部が、隣接する画素毎に前記複数の組み合わせデータのうち、いずれか一を選択し、
前記階調データ変換部は、前記選択された組み合わせデータが入力され、前記複数のサブ画素に応じたサブ階調信号を生成し、前記駆動回部に出力し、
前記駆動部が、前記複数のサブ画素に出力することを特徴とする液晶表示装置の駆動方法。
【請求項１４】
第１のサブ画素及び第２のサブ画素を含む画素と、
階調信号の階調数に対応した第１の組み合わせデータ及び第２の組み合わせデータが記憶された階調データ記憶部と、
階調データ変換部と、
駆動部と、を有し、
前記階調データ記憶部が、前記第１の組み合わせデータまたは前記第２の組み合わせデータを隣接する画素毎に交互に切り替えて選択し、
前記階調データ変換部は、前記選択された前記第１の組み合わせデータまたは前記第２の組み合わせデータが入力され、前記複数のサブ画素に応じたサブ階調信号を生成し、前記駆動部に出力し、
前記駆動部が、前記複数のサブ画素に出力することを特徴とする液晶表示装置の駆動方法。
【請求項１５】
請求項１４において、
前記第１の組み合わせデータまたは前記第２の組み合わせデータの前記選択は、隣接する前記画素毎に、且つ１フレーム期間毎に切り替えて行われることを特徴とする液晶表示装置の駆動方法。
【請求項１６】
請求項１４において、
前記第１の組み合わせデータまたは前記第２の組み合わせデータの前記選択は、隣接する前記画素毎に、且つサブフレーム期間毎に切り替えて行われることを特徴とする液晶表示装置の駆動方法。
【請求項１７】
第１のサブ画素及び第２のサブ画素を含む画素を有し、
階調信号の階調数に対応した複数の組み合わせのデータから第１の組み合わせデータと第２の組み合わせデータとが選択され、
前記選択された第１の組み合わせデータから第１のサブ階調信号が生成され、前記選択された第２の組み合わせデータから第２のサブ階調信号が生成され、
前記第１のサブ画素に前記第１のサブ階調信号が入力され、前記第２のサブ画素に第２のサブ階調信号が入力されることを特徴とする液晶表示装置。